【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
第１のダイナミックレンジで表される第１の画像を処理して、前記第１のダイナミックレンジよりも狭い第２のダイナミックレンジで表される第２の画像を生成する処理手段と、
前記第１の画像の輝度分布を示す分布画像と、前記分布画像における前記第２の画像の所定の輝度レベルを示すためのスケール画像と、を含む画像を生成する生成手段と、
前記画像を表示するように表示部を制御する制御手段と、を有することを特徴とする画像処理装置。
【請求項２】
前記分布画像は、前記第１の画像の水平方向の位置に対して、前記位置の各々における前記第１の画像の輝度値を示した波形モニタであることを特徴とする請求項１に記載の画像処理装置。
【請求項３】
前記分布画像は、輝度値に対する前記輝度値に対応する画素の数を示すヒストグラム画像であることを特徴とする請求項１に記載の画像処理装置。
【請求項４】
前記生成手段は、前記処理手段が前記第２の画像を生成するために用いたゲインに基づく位置に前記スケール画像を配置することを特徴とする請求項１から３のいずれか１項に記載の画像処理装置。
【請求項５】
前記所定の輝度レベルは、前記第２の画像の飽和輝度レベルであることを特徴とする請求項１から４のいずれか１項に記載の画像処理装置。
【請求項６】
前記第１の画像を外部装置に出力する第１出力手段と、前記第２の画像を外部装置に出力する第２出力手段と、をさらに備えることを特徴とする請求項１から５のいずれか１項に記載の画像処理装置。
【請求項７】
第１のダイナミックレンジで表される第１の画像を処理して前記第１のダイナミックレンジよりも狭い第２のダイナミックレンジで表される第２の画像を生成する処理手段と、
前記第１の画像の露出指標を示すインジケータ画像と、前記インジケータ画像において前記第２の画像の露出指標を示すためのカーソル画像と、を含む画像を生成する生成手段と、
前記画像を表示するように表示部を制御する制御手段と、を有することを特徴とする画像処理装置。
【請求項８】
前記生成手段は、前記処理手段が前記第２の画像を生成するために用いたゲインに基づく前記画像の位置に前記カーソル画像を配置することを特徴とする請求項７に記載の画像処理装置。
【請求項９】
第１のダイナミックレンジで表される第１の画像を処理して前記第１のダイナミックレンジよりも狭い第２のダイナミックレンジで表される第２の画像を生成する処理工程と、
前記第１の画像の輝度分布を示す分布画像と、前記分布画像における前記第２の画像の所定の輝度レベルを示すためのスケール画像と、を含む画像を生成する生成工程と、
前記画像を表示するように表示部を制御する制御工程と、を有することを特徴とする画像処理装置の制御方法。
【請求項１０】
前記分布画像は、前記第１の画像の水平方向の位置に対して、前記位置の各々における前記第１の画像の輝度値を示した波形モニタであることを特徴とする請求項９に記載の画像処理装置の制御方法。
【請求項１１】
前記分布画像は、輝度値に対する前記輝度値に対応する画素の数を示すヒストグラム画像であることを特徴とする請求項９に記載の画像処理装置の制御方法。
【請求項１２】
前記生成工程では、前記処理工程において前記第２の画像を生成するために用いたゲインに基づく位置に前記スケール画像を配置することを特徴とする請求項９から１１のいずれか１項に記載の画像処理装置の制御方法。
【請求項１３】
前記所定の輝度レベルは、前記第２の画像の飽和輝度レベルであることを特徴とする請求項９から１２のいずれか１項に記載の画像処理装置の制御方法。
【請求項１４】
前記第１の画像を外部装置に出力する第１出力工程と、前記第２の画像を外部装置に出力する第２出力工程と、をさらに有することを特徴とする請求項９から１３のいずれか１項に記載の画像処理装置の制御方法。
【請求項１５】
第１のダイナミックレンジで表される第１の画像を処理して前記第１のダイナミックレンジよりも狭い第２のダイナミックレンジで表される第２の画像を生成する処理工程と、
前記第１の画像の露出指標を示すインジケータ画像と、前記インジケータ画像において前記第２の画像の露出指標を示すためのカーソル画像と、を含む画像を生成する生成工程と、
前記画像を表示するように表示部を制御する制御工程と、を有することを特徴とする画像処理装置の制御方法。
【請求項１６】
前記生成工程では、前記処理工程において前記第２の画像を生成するために用いたゲインに基づく前記画像の位置に前記カーソル画像を配置することを特徴とする請求項１５に記載の画像処理装置の制御方法。
【請求項１７】
コンピュータに、請求項９から１６のいずれか１項に記載された画像処理装置の制御方法を実行させるためのプログラム。
【請求項１８】
コンピュータに、請求項９から１６のいずれか１項に記載された画像処理装置の制御方法を実行させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
上記課題を解決し、目的を達成するために、本発明の画像処理装置は、第１のダイナミックレンジで表される第１の画像を処理して、前記第１のダイナミックレンジよりも狭い第２のダイナミックレンジで表される第２の画像を生成する処理手段と、前記第１の画像の輝度分布を示す分布画像と、前記分布画像における前記第２の画像の所定の輝度レベルを示すためのスケール画像と、を含む画像を生成する生成手段と、前記画像を表示するように表示部を制御する制御手段と、を有する。
【手続補正３】
【補正対象書類名】明細書
【補正対象項目名】００２０
【補正方法】変更
【補正の内容】
【００２０】
画像出力部１９２は、画像処理部１２４から出力されたＨＤＲ画像信号を外部装置に出力する出力手段である。画像出力部１９２は、メモリカードやハードディスク等の記録媒体１９０に接続するインターフェースであるとする。図１では画像出力部１９２が記録媒体１９０と接続している状態を示している。記録媒体１９０は、撮影された画像を記録するためのメモリカード等の記録媒体であり、半導体メモリや磁気ディスク等から構成される。
【手続補正４】
【補正対象書類名】明細書
【補正対象項目名】００２１
【補正方法】変更
【補正の内容】
【００２１】
上述したようにＨＤＲ画像信号およびＳＤＲ画像信号を生成する回路をそれぞれ備えることから、ＨＤＲ画像信号およびＳＤＲ画像信号を並列に生成し、Ｉ／Ｆ１１８、画像出力部１９２から並行して出力することが可能である。
【手続補正５】
【補正対象書類名】明細書
【補正対象項目名】００３５
【補正方法】変更
【補正の内容】
【００３５】
波形モニタ画像は、画像信号のうち、ユーザが設定した水平ラインにおける輝度値の分布を示す分布画像である。輝度波形は、横軸に水平方向における位置をとり、縦軸に輝度値をとる。なお、波形モニタ画像は、ＨＤＲ画像信号の水平ラインごとに輝度波形を、１画面分の輝度波形を合成して、１画面分の輝度分布を示すものであってもよい。この場合、輝度波形は、各画素のｘ座標が画像信号の水平方向の位置を、ｙ座標が輝度値を、また画素値がｙ座標で表される輝度の出現頻度を表す画像である。画像信号の水平位置ｘ１の垂直ラインが同一輝度値ｙ１の画素で構成される場合、輝度信号波形は、ｘ１に対応するｘ座標を有する画素群のうち、ｙ１に対応するｙ座標の画素だけが値を有し、他のｙ座標を有する画素は値を持たない。また、輝度波形の画素値は出現頻度が多いほど大きくなるため、高輝度で表示される。
【手続補正６】
【補正対象書類名】明細書
【補正対象項目名】００５８
【補正方法】変更
【補正の内容】
【００５８】
Ｓ６０８では、システム制御部１５０は、アシスト情報生成部１９３に、ＨＤＲ画像信号の輝度波形のみから構成される波形モニタ画像を生成させる。また、アシスト情報生成部１９３は、ＨＤＲ画像信号の輝度波形と、ＨＤＲ画像信号の輝度を示すスケールとを合成した波形モニタ画像を生成する。
【手続補正７】
【補正対象書類名】明細書
【補正対象項目名】００７４
【補正方法】変更
【補正の内容】
【００７４】
アシスト情報生成部１９３は、露出インジケータに表示される露出指標データを生成する。露出インジケータは、画像信号の露出（明るさの特性値（評価値））を示すための露出指標（カーソル画像）１００３と、カーソルが示す露出をユーザが認識するためのスケール１００１とを含むアシスト画像である。図１０は、露出インジケータの表示例を示している。露出インジケータにおいて、カメラで判定される画像の適正露出位置１００２がスケール１００１の目盛りの中心に設定される。また、撮影画像の露出位置に逆三角形の露出指標１００３が表示される。撮影画像の信号レベルから算出される明るさの評価値が適正露出よりも露出オーバーであれば適正露出位置１００２より右側に、評価値が適正露出よりも露出アンダーであれば適正露出位置１００２より左側に、露出指標１００３が表示される。言い換えれば、適正露出からの差が大きいほど、現在の露出を表す露出指標１００３は中心の適正露出位置１００２から離れて表示されるといえる。なお、明るさの評価値は、既知の方法を用いて算出することができる。例えば、画像全体の信号レベルの平均値でもよいし、画像を複数の領域に分割し、分割領域に含まれる被写体や画像内の位置に応じて加重平均したものでもよいし、平均信号レベルとピーク信号レベルを考慮した指標でもよい。また、評価値算出に用いる画像信号は輝度信号でもよいし、色信号でもよいし、それぞれの画素ごとに色信号と輝度信号の組み合わせた信号でもよい。
【手続補正８】
【補正対象書類名】明細書
【補正対象項目名】００７６
【補正方法】変更
【補正の内容】
【００７６】
図１１（ａ）は、ＨＤＲ画像信号の露出指標１１０１とＳＤＲ画像信号の露出指標１１０２とがそれぞれ異なるスケール１１０３、１１０４上にカーソルとして表示される例を示している。図１１（ｂ）は、ＨＤＲ画像信号の露出指標１１０１とＳＤＲ画像信号の露出指標１１０２が同一のスケール１１０５上にカーソルとして表示される例を示している。図１１（ｃ）は、スケール１１０５上にＨＤＲ画像信号の露出指標１１０１がカーソルとして配置され、かつ、ＳＤＲ画像信号の露出指標は、ＨＤＲ画像信号の露出に対する相対値として表示される例を示している。